(57)【要約】【課題】圧縮画像データから、常に画質の良い画質補正済み圧縮画像データを得る。【解決手段】補正量算出手段１５は、第１の解凍手段１０により圧縮画像データＰ１を解凍して得た画像データＤ１に対して施すホワイトバランス補正および濃度補正の補正量を算出し、画質補正手段２５は、これらの補正量を用いて画像データＤ１に対して画質補正処理を行って画質補正済み画像データＤ２を得る。第２の解凍手段３５は、圧縮手段３０により画像データＤ２に対して圧縮処理を行って圧縮画像データＰ２を解凍してＲＧＢ画像データＤ３を得る。第１の変化量算出手段２０と第２の変化量算出手段４０は、画質補正手段２５が行う画質補正により信号変化量Ｓ１と圧縮手段３０が行う圧縮処理による信号変化量Ｓ２とを夫々算出し、目的画像データ決定手段は、信号変化量Ｓ１がＳ２より大きいとき、圧縮画像データＰ２を目的画像データＰとするが、Ｓ１がＳ２以下であるとき、元の圧縮画像データＰ１を目的画像データＰとする。【選択図】　　　　　図１
2004032245.tif 000002
【特許請求の範囲】
【請求項１】
第１の圧縮画像データから画質補正済み圧縮画像データを得る画像処理装置であって、
前記第１の圧縮画像データを解凍して第１の画像データを得る解凍手段と、
前記第１の画像データに対して画質補正処理を行って第２の画像データを得る画質補正手段と、
前記第２の画像データに対して圧縮処理を行って第２の圧縮画像データを得る圧縮手段と、
前記第２の圧縮画像データを前記画質補正済み圧縮画像データとする画質補正済み圧縮画像データ取得手段とからなり、
前記第１の画像データに対して前記画質補正処理を行うか否かを判断する判断手段さらに備え、
前記画質補正手段が、前記判断手段により前記画質補正処理を行うように判断された前記第１の画像データに対してのみ前記画質補正処理を行うものであり、
前記画質補正済み圧縮画像データ取得手段が、前記判断手段により前記画質補正処理を行わないように判断された前記第１の画像データに対応する前記第１の圧縮画像データを前記画質補正済み圧縮画像データとするものであることを特徴とする画像処理装置。
【請求項２】
前記判断手段が、前記画質補正手段により前記第１の画像データに対して行う前記画質補正処理による画像データの信号変化量からなる第１の変化量と、
前記圧縮手段により前記第２の画像データに対して行う前記圧縮処理による画像データの信号変化量からなる第２の変化量とを算出する信号変化量取得手段を備え、
該信号変化量取得手段により求められた前記第１の変化量が前記第２の変化量より大きいときにのみ、前記第１の画像データに対して前記画質処理を行うように判断するものであることを特徴とする請求項１記載の画像処理装置。
【請求項３】
前記判断手段が、前記画質補正手段により前記第１の画像データに対して行う前記画質補正処理による画像データの信号変化量を計算する信号変化量計算手段を備え、
該信号変化量計算手段により計算された前記信号変化量が所定の閾値より大きいときにのみ、前記第１の画像データに対して前記画質補正処理を行うように判断するものであることを特徴とする請求項１記載の画像処理装置。
【請求項４】
前記第１の圧縮画像データが、デジタルカメラにより撮影して得られたものであることを特徴とする請求項１から３のいずれか１項記載の画像処理装置。
【発明の詳細な説明】
【０００１】
【発明の属する技術分野】
本発明は、画像データ、より具体的には圧縮画像データから画質補正済み圧縮画像データを取得する画像処理装置に関するものである。
【０００２】
【従来の技術】
近年、デジタル画像データ（以下略して画像データという）に対してサービスを提供する様々なシステムが出現している。例えば、ネガフィルムをスキャナでスキャンして得たものや、デジタルカメラにより撮影した得たものなどの画像データの保存、管理を行うシステムや、画像データに対して、望ましい画質になるように画質補正処理を行ってプリントするプリントサービスシステムなどがある。
【０００３】
一方、コンピュータなどの端末装置の低価格化およびネットワーク技術の進歩に伴って、インタネットが急激に普及する背景において、上述した様々なシステムの殆どはネットワークを介してサービスを提供している。
【０００４】
例えば、上述したプリントサービスシステムは、ユーザが端末装置を用いてアップロードした画像データに対して画質補正処理を行ってからネットワークにより接続されたミニラボなどのプリンタに出力してプリントアウトさせる構成もあれば、画質補正処理を施した画像データを保持して、保持場所を示すＵＲＬなどのアドレスだけをミニラボなどに送信し、ミニラボからアクセスされた時に、プリント対象となる画像データをダウンロードさせる構成のものもあるが、端末装置との間、プリントアウトを行うプリンタとの間の画像データの受渡しは、ネットワークを介して行われている。
【０００５】
また、移動通信の分野において、携帯電話の普及および携帯電話機の機能の充実に伴って、携帯電話機を端末装置とする画像サービスも盛んに行われている。例えば、携帯電話機同士間の電子メールを中継する際に、送信側の携帯電話機から送信された電子メールに添付された画像データに対して、ホワイトバランス補正や、濃度補正などの画質補正処理を行ってから受信側の携帯電話機に送信したり、受信側の携帯電話機が添付ファイルを受信できない場合、画質補正処理を施した画像データを保持して、該画像データの保持場所を示すＵＲＬなどのアドレスだけを受信側の携帯電話機に送信して、後に受信側の携帯電話機からのアクセスを受付たときダウンロードさせたりするなど、画質補正機能を有する通信中継サーバ装置がある。これらのサーバ装置も、ネットワークを介して端末装置となる携帯電話機と画像データの受渡しを行うものである。
【０００６】
一方、ネットワークを介して画像データを受渡しする際に、通信時間の短縮など、端末装置およびネットワークの負担を軽減するように、これらの画像データは圧縮される。すなわち、端末装置からアップロードする画像データは圧縮されているし、端末装置にダウンロードさせる画像データも圧縮されたものである。携帯電話機の場合、撮影して得た画像データは圧縮されてから携帯電話機の記憶部に保存されるようになっている。
【０００７】
そのため、画質補正処理を行う装置において、まず、圧縮された画像データを解凍し、解凍した画像データに対して画質補正を行って、補正済みの画像データを送信するために再圧縮する手順を必要とされる。
【０００８】
【発明が解決しようとする課題】
しかし、再圧縮処理は画像データのサイズを小さくすることを目的とし、画質補正処理とは逆に画質劣化を引き起こす原因になるものである。すなわち、上述した各種のシステムにおいては、画質補正処理を行って画質改善を行っていながら、一方で画質劣化させる再圧縮も行っていることになっている。場合によっては、再圧縮によって画質劣化した分が、画質補正処理によって画質改善した分より上回るときもあり、結局最終的に得た目的画像データが画質補正処理を施す前の元の画像データより画質が悪くなることがあるという問題がある。
【０００９】
本発明は上記事情に鑑みなされたものであり、圧縮された画像データに対して画質補正処理を施してから再圧縮を行って目的画像データを得るシステムにおいて、常に画質の良い目的画像データを得ることができる画像処理装置を提供することを目的とするものである。
【００１０】
【課題を解決するための手段】
本発明の画像処理装置は、第１の圧縮画像データから画質補正済み圧縮画像データを得る画像処理装置であって、
前記第１の圧縮画像データを解凍して第１の画像データを得る解凍手段と、
前記第１の画像データに対して画質補正処理を行って第２の画像データを得る画質補正手段と、
前記第２の画像データに対して圧縮処理を行って第２の圧縮画像データを得る圧縮手段と、
前記第２の圧縮画像データを前記画質補正済み圧縮画像データとする画質補正済み圧縮画像データ取得手段とからなり、
前記第１の画像データに対して前記画質補正処理を行うか否かを判断する判断手段さらに備え、
前記画質補正手段が、前記判断手段により前記画質補正処理を行うように判断された前記第１の画像データに対してのみ前記画質補正処理を行うものであり、前記画質補正済み圧縮画像データ取得手段が、前記判断手段により前記画質補正処理を行わないように判断された前記第１の画像データに対応する前記第１の圧縮画像データを前記画質補正済み圧縮画像データとするものであることを特徴とするものである。
【００１１】
すなわち、本発明の画像処理装置は、圧縮された画像データ（前記第１の圧縮画像データ）から画質補正された圧縮画像データ（前記画質補正済み圧縮画像データ）を得ることを目的とするものであり、従来の画像処理装置と同様に、前記第１の画像データを解凍して画質補正処理を施し、画質補正処理を施された画像データを再圧縮して画質補正済み圧縮画像データを得る処理を基本処理としながら、前記第１の画像データに対して画質補正処理を行うか否かを判断する判断手段を備え、該判断手段により画質補正処理を行うように判断された前記第１の圧縮画像データに対して従来通りの処理（前述も基本処理）を施す一方、前記判断手段により画質補正処理を行わないように判断された前記第１の圧縮画像データに対して前述の基本処理を行わず、前記第１の圧縮画像データそのものを目的画像データ、すなわち画質補正済み圧縮画像データとするように動作するものである。
【００１２】
本発明の画像処理装置における前記判断手段は、前記画質補正手段により前記第１の画像データに対して行う前記画質補正処理による画像データの信号変化量からなる第１の変化量と、
前記圧縮手段により前記第２の画像データに対して行う前記圧縮処理による画像データの信号変化量からなる第２の変化量とを算出する信号変化量取得手段を備え、
該信号変化量取得手段により求められた前記第１の変化量が前記第２の変化量より大きいときにのみ、前記第１の画像データに対して前記画質処理を行うように判断するものとすることができる。
【００１３】
また、演算を簡略化して処理時間の短縮を図るために、本発明の前記判断手段は、前記画質補正手段により前記第１の画像データに対して行う前記画質補正処理による画像データの信号変化量を計算する信号変化量計算手段を備え、
該信号変化量計算手段により計算された前記信号変化量が所定の閾値より大きいときにのみ、前記第１の画像データに対して前記画質補正処理を行うように判断するものとしてもよい。
【００１４】
ここで、前記所定の閾値は、本発明の画像処理装置の前記圧縮手段の圧縮処理による画像データの信号変化量の最大値前後とすることが望ましく、本発明の画像処理装置の処理対象となる画像データの種類（写真、医療画像など）などに基づいて種類毎に設定してもよいし、いかなる種類の画像データに対しても同様の閾値を設定してもよい。
【００１５】
本発明の画像処理装置の処理対象となる前記第１の圧縮画像データは、デジタルカメラにより撮影して得たものであってもよい。
【００１６】
【発明の効果】
本発明の画像処理装置は、圧縮画像データから画質補正済み圧縮画像データ（目的圧縮画像データ）を得る際に、圧縮画像データに対して画質補正を行うか否かの判断手段により圧縮画像データに対して画質補正処理を行うか否かの判断を行い、画質補正処理を行わないように判断された圧縮画像データに対して画質補正処理を行わずに、圧縮画像データそのものを画質補正処理済み圧縮画像データとするようにすることにしているので、画質補正処理による信号変化量が、再圧縮処理による信号変化量より大きいときにのみ、圧縮画像データに対して画質補正処理を行うように判断すれば、常に画質の良い目的圧縮画像データを得ることができる。
【００１７】
【発明の実施の形態】
以下、図面を参照して、本発明の実施形態について説明する。
【００１８】
図１は、本発明の第１の実施形態となる画像処理装置Ａの構成を示すブロック図である。図示のように、本実施形態の画像処理装置Ａは、圧縮画像データＰ１を解凍して、ＲＧＢ画像データＤ１（Ｒ１、Ｇ１、Ｂ１）を得る第１の解凍手段１０と、画像データＤ１に対して、ホワイトバランス補正および濃度補正を行うための補正量を算出する補正量算出手段１５と、補正量算出手段１５により算出された補正量を用いて画像データＤ１に対してホワイトバランス補正および濃度補正を行う画質補正手段２５と、画質補正手段２５の画質補正による信号変化量Ｓ１を算出する第１の変化量算出手段２０と、画質補正手段２５により取得された画質補正済みの画像データＤ２（Ｒ２、Ｇ２、Ｂ２）に対して圧縮処理を行って、圧縮画像データＰ２を得る圧縮手段３０と、圧縮手段３０により取得された圧縮画像データＰ２を解凍してＲＧＢ画像データＤ３（Ｒ３、Ｇ３、Ｂ３）を得る第２の解凍手段３５と、圧縮手段３０が画像データＤ２を圧縮することによる信号変化量Ｓ２を算出する第２の変化量算出手段４０と、第１の変化量Ｓ１と第２の変化量Ｓ２とに基づいて、目的画像データＰを圧縮画像データＰ１または圧縮画像データＰ２に決定する目的画像データ決定手段４５と、目的画像データ決定手段４５により決定された目的画像データＰを記憶する記憶手段Ｐとを備えてなるものである。
【００１９】
本実施形態において、画像データに対して行う画質補正処理はホワイトバランス補正と濃度補正であり、補正量算出手段１５は、式（１）と式（２）を用いて夫々ホワイトバランス補正量ΔＲ、ΔＢと濃度補正量ΔＤを算出する。
【００２０】
【数１】
2004032245.tif 000003
【数２】
2004032245.tif 000004
なお、式（２）におけるＹｍｉｄは、画像データのビット数と関連した定数であり、８ビットの画像データの場合、１２８とすることができる。
【００２１】
画質補正手段２５は、補正量算出手段１５により算出した補正量を用いて下記の式（３）に従って、画像データＤ１（Ｒ１、Ｇ１、Ｂ１）に対してホワイトバランス補正と濃度補正を行って画像データＤ２（Ｒ２、Ｇ２、Ｂ２）を得る。
【００２２】
【数３】
2004032245.tif 000005
なお、画質補正手段１５は、式（３）に示す計算を画像データＤ１の全ての画素に対して行うものである。
【００２３】
第１の変化量算出手段２０と第２の変化量算出手段４０は、夫々下記の式（４）と式（５）に従って、画質補正手段１５が行う画質補正による信号変化量Ｓ１と圧縮手段３０が行う圧縮処理による信号変化量Ｓ２とを算出する。
【００２４】
【数４】
2004032245.tif 000006
【数５】
2004032245.tif 000007
第１の変化量算出手段２０と第２の変化量算出手段４０により夫々算出された信号変化量Ｓ１と信号変化量Ｓ２が、目的画像データ決定手段４５に入力される。目的画像データ決定手段４５は、信号変化量Ｓ１と信号変化量Ｓ２とを比較し、信号変化量Ｓ１が信号変化量Ｓ２以下であるとき、すなわち画質補正手段１５が行う画質補正による信号変化量が圧縮手段３０が行う圧縮処理による信号変化量Ｓ２以下であるとき、圧縮画像データＰ１を目的画像データＰとし、信号変化量Ｓ１が信号変化量Ｓ２より大きいとき、圧縮画像データＰ２、すなわち圧縮画像データＰ１を解凍して、画像補正処理を施した後に再圧縮を行うことにより得た画像データＰ２を目的画像データＰとする。目的画像データ決定手段４５により決定された目的画像データＰは、記憶手段５０に記憶される。
【００２５】
図２は、図１に示す画像処理装置Ａの動作を示すフローチャートである。図示のように、画像処理装置Ａの第１の解凍手段１０は、まず入力される圧縮画像データＰ１を解凍して、ＲＧＢ画像データＤ１を得る（Ｓ５）。補正量算出手段１５は、式（１）と式（２）に従って画像データＤ１に対するホワイトバランス補正量および濃度補正量を算出する（Ｓ１０）。画質補正手段２５は、補正量算出手段１５により算出したホワイトバランス補正量および濃度補正量を用い、式（３）に従って画像データＤ１に対してホワイトバランス補正と濃度補正を行って、補正済みＲＧＢ画像データＤ２を得る（Ｓ１２）。第１の変化量算出手段２０が、式（４）に従って、画像データ画質補正手段２５が行う画質補正処理による信号変化量Ｓ１を算出する（Ｓ１４）と共に、圧縮手段３０は、画質補正手段２５により得た画像データＤ２に対して圧縮処理を行い、圧縮画像データＰ２を得る（Ｓ１６）。画像処理装置Ａの第２の解凍手段３５は、圧縮画像データＰ２を解凍してＲＧＢ画像データＤ３を得（Ｓ１８）、第２の変化量算出手段４０は、式（５）に従って、圧縮手段３０が行う圧縮処理による信号変化量Ｓ２を算出する（Ｓ２０）。目的画像データ決定手段４５は、信号変化量Ｓ１とＳ２とを比較し（Ｓ２２）、信号変化量Ｓ１が、信号変化量Ｓ２より大きいとき、圧縮画像データＰ２を目的画像データＰに決定するが（Ｓ２２：Ｙｅｓ、Ｓ２４）、信号変化量Ｓ１が信号変化量Ｓ２以下であるとき、圧縮画像データＰ１、すなわち入力された圧縮画像データそのものを目的画像データＰに決定する（Ｓ２２：Ｎｏ、Ｓ２６）。記憶部５０は、目的画像データ決定手段４５により決定された目的画像データＰを記憶保存して処理が終了する（Ｓ３０）。
【００２６】
このように、本実施形態の画像処理装置Ａによれば、入力されてきた圧縮画像データＰ１から画質補正済み圧縮画像データ（目的画像データ）を得る際に、圧縮画像データＰ１に対して画質補正を行うことによる信号変化量Ｓ１と、画質補正した画像データ（Ｄ２）から圧縮画像データＰ２を得るために行う再圧縮による信号変化量Ｓ２を算出し、画質補正による信号変化量Ｓ１が、再圧縮による信号変化量Ｓ２より大きいときにのみ、圧縮画像データＰ１を解凍して画質補正処理を施し、再圧縮処理を行って得た圧縮画像データＰ２を目的画像データＰとし、画質補正による信号変化量Ｓ１が、再圧縮による信号変化量Ｓ２以下であるとき、すなわち画質補正による画質向上よりも、再圧縮による画質劣化のほうが大きいときには、画質補正を行わずに、元の圧縮画像データＰ１を目的画像データＰとするようにしているので、画質が最もよい目的画像データを得ることができる。
【００２７】
図３は、本発明の第２の実施形態となる画像処理装置Ｂの構成を示すブロック図である。図示のように、本実施形態の画像処理装置Ｂは、圧縮画像データＰ１を解凍してＲＧＢ画像データＤ１（Ｒ１、Ｇ１、Ｂ１）を得る解凍手段６０と、ＲＧＢ画像データＤ１に対して行うホワイトバランス補正および濃度補正の補正量を夫々算出する補正量算出手段６５と、補正量算出手段６５により算出した補正量の総和Ｓ算出すると共に、この総和Ｓが、図示しない記憶部に予め設定された閾値Ｍ以下であるときに、圧縮画像データＰ１をそのまま目的画像データＰとして後述する記憶手段９０に出力して記憶させるが、補正量の総和Ｓが閾値Ｍより大きいときに、後述する画質補正手段画像データＤ１を出力して画質補正処理を行わせる制御手段７０と、出力されてきた画像データＤ１に対して、補正量算出手段６５により算出された補正量を用いてホワイトバランス補正および濃度補正処理を行って補正済み画像データＤ２を得る画質補正手段７５と、補正済み画像データＤ２に対して圧縮処理を行って圧縮画像データＰ２を取得し、この圧縮画像データＰ２を目的画像データＰとして記憶手段９０に出力する圧縮手段８０と、制御手段７０または圧縮手段８０から出力されてきた目的画像データＰを記憶保存する記憶手段９０とを備えてなるものである。
【００２８】
図３に示す画像処理装置Ｂの補正量算出手段６５は、図１に示す画像処理装置Ａの補正量算出手段１５と同様に、上述した式（１）、式（２）を用いてホワイト補正量（ΔＲ、ΔＢ）および濃度補正量ΔＤを算出し、制御手段７０は、下記の式（６）に従って、補正量の総和Ｓを求める。
【００２９】
【数６】
2004032245.tif 000008
補正量の総和Ｓが大きければ大きいほど、画像データＤ１に対して行う画質補正による信号変化量が大きいことを意味し、本実施形態において、制御手段７０は、この総和Ｓと予め設定された閾値Ｍとを比較し、補正量の総和Ｓが閾値Ｍより大きいときにのみ、画質補正手段画像データＤ１を出力して画質補正処理を行わせるものである。
【００３０】
閾値Ｍは、予め設定されたものであり、圧縮手段８０が行う圧縮処理による信号の最大変化量以上の数値である。
【００３１】
画質補正手段７５は、図１に示す画像処理装置Ａの画質補正手段２５と同様に、補正量算出手段６５により算出したホワイトバランス補正量および濃度補正量を用いて、式（３）に従って、制御手段７０から出力されてきた画像データＤ１に対してホワイトバランス補正および濃度補正を施すものである。
【００３２】
図４は、図３に示す画像処理装置Ｂの動作を示すフローチャートである。図示のように、本実施形態の画像処理装置Ｂは、まず、解凍手段６０により処理対象の圧縮画像データＰ１を解凍してＲＧＢ画像データＤ１を得る（Ｓ５０）。補正量算出手段６５は、画像データＤ１に対して行うホワイトバランス補正および濃度補正の補正量を夫々算出して制御手段７０に出力する（Ｓ５４）。制御手段７０は、補正量算出手段６５により算出されたホワイトバランス補正量および濃度補正量から、補正量の総和Ｓを求める（Ｓ５４）と共に、この総和Ｓが図示しない記憶部に設定された閾値Ｍ以下であるとき、圧縮画像データＰ１そのまま目的画像データＰとして記憶手段９０に記憶保存させる（Ｓ５６：Ｎｏ、Ｓ５８、Ｓ６６）が、補正量の総和Ｓが閾値Ｍより大きいとき、画質補正手段７５に画像データＤ１に出力し、画質補正を行わせる（Ｓ５６：Ｙｅｓ、Ｓ６０）。画質補正手段７５が、補正量算出手段６５により算出した補正量を用いて、制御手段７０から出力された画像データＤ１に対してホワイトバランス補正および濃度補正を施して得た画像データＤ２に対して、圧縮手段８０は、圧縮処理を行って圧縮画像データＰ２を得、この圧縮画像データＰ２を目的画像データＰとして記憶手段９０に出力する（Ｓ６２、Ｓ６４、Ｓ６６）。
【００３３】
このように、本実施形態の画像処理装置Ｂによれば、図１に示す画像処理装置Ａと同様に、画質補正処理による画質向上よりも、再圧縮による画質劣化のほうが大きいとき、画像データに対する画質補正を行わず、元の圧縮画像データ（Ｐ１）そのまま目的画像データＰにすることによって、最も画質のよい目的の圧縮画像データを得ることができるうえに、予め設定され、再圧縮処理による信号変化量の最大値となる閾値を判断基準として利用することによって、画質補正を行うか否かの判断を行う際に、実際に画像データに対して画質補正処理、圧縮処理、解凍処理を行う必要がないので、処理時間を短縮することができ、効率が良い。
【００３４】
上述において、本発明の望ましい実施形態となる画像処理装置に説明したが、本発明の画像処理装置は、上述した実施形態に限られるものではなく、本発明の主旨を変えない限り、様々な変更を加えることができる。
【００３５】
例えば、上述した２つの画像処理装置の画質補正部は、画像データに対してホワイトバランス補正と濃度補正を行うものであるが、本発明の画像処理装置は、画像データに対して行う画質補正処理は、この２つに限られるものではなく、例えば、階調補正や、シャープネス補正などを行うものであってもよい。
【００３６】
また、図１に示す画像処理装置Ａは、画質補正による信号変化量Ｓ１が再圧縮による信号変化量Ｓ２より大きいとき、元の圧縮画像データＰ１を解凍、画質補正、再圧縮して得た圧縮画像データＰ２を目的画像データとし、信号変化量Ｓ１が再圧縮による信号変化量Ｓ２以下であるとき、元の圧縮画像データＰ１を目的画像データとするようにしているが、本発明の画像処理装置は、例えば、画質補正による信号変化量Ｓ１が再圧縮による信号変化量Ｓ２のＴ倍（Ｔ：以上の正数）より大きいとき、元の圧縮画像データＰ１を解凍、画質補正、再圧縮して得た圧縮画像データＰ２を目的画像データとし、信号変化量Ｓ１が再圧縮による信号変化量Ｓ２のＴ倍以下であるとき、元の圧縮画像データＰ１を目的画像データとするように構成されてもよい。
【００３７】
また、上述した２つの実施形態の画像処理装置は、入力されてきた圧縮画像データから得た目的の圧縮画像データを記憶保存するものであるが、記憶保存された画像データを端末装置に送信したり、プリント装置に送信してプリントアウトを行わせたりするものであってもよい。
【００３８】
また、上述した画像処理装置は、圧縮画像データから画質補正済み画像データを取得するための独立した形態を有するものであるが、例えば、プリントシステムや、通信中継装置などに備えられ、画質補正の役割を担う部分として構成されたものであってもよい。
【００３９】
本発明の画像処理装置の取り扱う圧縮画像データの種類として、デジタルカメラにより撮影して得た圧縮画像データや、ネットワーク通信を行うために圧縮された画像データなど、いかなる圧縮された画像データであってもよい。
【図面の簡単な説明】
【図１】本発明の第１の実施形態となる画像処理装置Ａの構成を示すブロック図
【図２】図１に示す画像処理装置Ａの動作を示すフローチャート
【図３】本発明の第２の実施形態となる画像処理装置Ｂの構成を示すブロック図
【図４】図３に示す画像処理装置Ｂの動作を示すフローチャート
【符号の説明】
１０　　第１の解凍手段
１５　　補正量算出手段
２０　　第１の変化量算出手段
２５　　画質補正手段
３０　　圧縮手段
３５　　第２の解凍手段
４０　　第２の変化量算出手段
４５　　目的画像決定手段
５０　　記憶手段
６０　　解凍手段
６５　　補正量算出手段
７０　　制御手段
７５　　画質補正手段
８０　　圧縮手段
９０　　記憶手段
Ｄ１，Ｄ２，Ｄ３　　ＲＧＢ画像データ
Ｐ１，Ｐ２　　圧縮画像データ
Ｐ　　目的画像データ
Ｓ１，Ｓ２，Ｓ　　信号変化量
Ｍ　　閾値
ΔＲ，ΔＢ　　ホワイトバランス補正量
ΔＤ　　濃度補正量
【図１】
2004032245.tif 000009
【図２】
2004032245.tif 000010
【図３】
2004032245.tif 000011
【図４】
2004032245.tif 000012